(57)【要約】【課題】底面に水が残らず、水を排水口に流し切り、しかも排水蓋の上面に水が残ることなく排水することができるシンクを提供すること。【解決手段】底面が、複数の傾斜平面８ａ、８ｂ、８ｃに谷折りされて形成され、各傾斜平面が、奥行き方向の後端部に配設された排水口に向かって下り傾斜し、各傾斜平面間の谷折り線７ａ、７ｂが排水口に向かって形成されるとともに、排水口に装着される排水蓋９に、底面の各傾斜平面および谷折り線のそれぞれの延長上に複数の傾斜平面１２ａ、１２ｂ、１２ｃおよび谷折り線１３ａ、１３ｂが形成される。【選択図】図１
2007262673.tif 000002
【特許請求の範囲】
【請求項１】
底面が、複数の傾斜平面に谷折りされて形成され、各傾斜平面が、奥行き方向の後端部に配設された排水口に向かって下り傾斜し、各傾斜平面間の谷折り線が排水口に向かって形成されるとともに、排水口に装着される排水蓋に、底面の各傾斜平面および谷折り線のそれぞれの延長上に複数の傾斜平面および谷折り線が形成されていることを特徴とするシンク。
【請求項２】
排水蓋は端縁に直線部分を有し、この直線部分に谷折り線が交わっている請求項１記載のシンク。
【発明の詳細な説明】
【技術分野】
【０００１】
本願発明は、キッチンシンクや洗面シンクに用いられるシンクに関する。
【背景技術】
【０００２】
キッチンキャビネットに取り付けられるキッチンシンクや洗面化粧台に設けられる洗面シンクに用いられるシンクには多種多様のものが提供されている。
【０００３】
たとえば、奥行き寸法に対して後方側に排水口が設けられ、底面を排水口側が低くなるように傾斜させて形成するとともに、排水口に嵌め込まれ、周縁の少なくとも一部に通水部を設けた平板状の排水蓋を配設し、この排水蓋の上面を底面と同方向に傾斜させて形成したシンクが知られている（特許文献１）。このシンクは、底面が排水蓋を含め排水口へ向かって低く傾斜形成しているので、底面および排水蓋上面に水が溜まりにくく、清掃性が良好であるとされている。
【特許文献１】特開平５−１４８８７３号公報
【発明の開示】
【発明が解決しようとする課題】
【０００４】
しかしながら、実際には、特許文献１に記載されたシンクでは、底面が一平面によって形成されているため、排水口側が低くなるように傾斜していても、排水口の側方に位置する部分に水が残ることがある。また、排水蓋の上面は底面と同方向に傾斜しているが、蓋体は平板状であるため、上面に水が残ることがある。
【０００５】
本願発明は、このような事情に鑑みてなされたものであり、底面に水が残らず、水を排水口に流し切り、しかも排水蓋の上面に水が残ることなく排水することができるシンクを提供することを課題としている。
【課題を解決するための手段】
【０００６】
本願発明は、上記の課題を解決するために、第１に、底面が、複数の傾斜平面に谷折りされて形成され、各傾斜平面が、奥行き方向の後端部に配設された排水口に向かって下り傾斜し、各傾斜平面間の谷折り線が排水口に向かって形成されるとともに、排水口に装着される排水蓋に、底面の各傾斜平面および谷折り線のそれぞれの延長上に複数の傾斜平面および谷折り線が形成されていることを特徴としている。
【０００７】
本願発明は、第２に、排水蓋は端縁に直線部分を有し、この直線部分に谷折り線が交わっていることを特徴としている。
【発明の効果】
【０００８】
本願の第１の発明によれば、底面が、一平面ではなく、複数の傾斜平面に谷折りされて形成され、各傾斜平面が、奥行き方向の後端部に配設された排水口に向かって下り傾斜しているので、底面には排水口の側方に位置する部分においても水が残ることはなく、水を排水口に流し切ることができる。また、排水口に装着される排水蓋に、底面を形成する各傾斜平面の延長上に複数の傾斜平面が形成され、排水蓋は平板状ではないため、排水蓋の上面に水が残ることもない。したがって、水をきれいに排水することができる。
【０００９】
しかも、底面、排水蓋のそれぞれに形成された傾斜平面が同一平面状に配置され、谷折り線が一直線上に配置されるため、外観が美麗であり、これまでに類を見ない斬新な意匠を有するシンクが実現される。
【００１０】
本願の第２の発明によれば、排水蓋は端縁に直線部分を有し、この直線部分に谷折り線が交わっているため、谷折りされた形状であっても、谷折り線が排水蓋の角部に交わる場合に谷折り線が集中し、必要以上に鋭角になることを防ぐことができ、排水蓋の強度が十分確保される。排水蓋に割れや欠けなどが生じることがない。
【発明を実施するための最良の形態】
【００１１】
図１は、本願発明のシンクの一実施形態を示した斜視図である。図２は、図１に示したシンクの平面図であり、図３、図４は、それぞれ、図２図中のＡ−Ａ断面図、Ｂ−Ｂ断面図である。
【００１２】
シンクは、キッチンキャビネットに取り付けられるキッチンシンクであり、平面視矩形で水槽を形成する本体１を備え、本体１の上端縁から外方にフランジ２が延設されている。奥行き方向の後端縁部にはフランジ２から一段下がった段部３が設けられている。段部３には、略中央に、カランの取り付けを可能にしたカラン取り付け孔４が穿設されている。
【００１３】
本体１の底面において奥行き方向の後端部には、排水口５が開口形成されている。排水口５には排水口５と連通する排水トラップ６が設けられている。排水トラップ６は、本体１の底面から下方にわずかに突出し、排水管の接続を可能にしている。
【００１４】
本体１の底面は、奥行き方向の前端隅部から排水口５側の後端部略中央を結ぶ線分を谷折り線７ａ、７ｂとして谷折りされた３つの面から形成されている。これら３つの面は、いずれも、排水口５に向かって下り傾斜する傾斜平面８ａ、８ｂ、８ｃとなっている。
【００１５】
排水口５には、平面視略正方形の排水蓋９が取り外し自在に装着されている。排水蓋９の装着によって排水トラップ６を上方より覆い隠し、排水トラップ６が露出しないようにしている。排水蓋９は、排水口５との間に隙間１０が形成されるような大きさとされ、水や小さな調理屑が隙間１０を通って排水トラップ６に流れ落ちるようにしている。隙間１０は、排水蓋９の左右縁および前縁に形成されている。また、排水蓋９は、後端縁部において係止片１１によって係止され、排水口５の上端に配置されている。
【００１６】
排水蓋９には、本体１の底面を構成する３つの傾斜平面８ａ、８ｂ、８ｃの延長上に３つの傾斜平面１２ａ、１２ｂ、１２ｃが形成されている。同様に、排水蓋９には、本体１の底面に形成された谷折り線７ａ、７ｂの延長上に谷折り線１３ａ、１３ｂが形成されている。谷折り線１３ａ、１３ｂにおいて排水蓋９は谷折りされて傾斜平面１２ａ、１２ｂ、１２ｃが形成され、各傾斜平面１２ａ、１２ｂ、１２ｃもまた、それぞれ、本体１の底面の奥行き方向の後端部中央に向かって下り傾斜している。
【００１７】
このように、図１〜図４に示したキッチンシンクでは、本体１の底面が、一平面ではなく、３つの傾斜平面８ａ、８ｂ、８ｃに谷折りされて形成され、各傾斜平面８ａ、８ｂ、８ｃが、奥行き方向の後端部に配設された排水口５に向かって下り傾斜しているので、底面には排水口５の側方に位置する後端部においても水が残ることはなく、水を排水口５に流し切ることができる。また、排水口５に装着される排水蓋９に、本体１の底面を形成する各傾斜平面８ａ、８ｂ、８ｃの延長上に３つの傾斜平面１２ａ、１２ｂ、１２ｃが形成され、排水蓋９は平板状ではないため、排水蓋９の上面に水が残ることもなく、排水口５に排水することができる。したがって、水をきれいに排水することができる。
【００１８】
しかも、本体１の底面、排水蓋９のそれぞれに形成された傾斜平面８ａ〜８ｃ、１２ａ〜１２ｃが同一平面状に配置され、谷折り線７ａおよび７ｂ、１３ａおよび１３ｂが一直線上に配置されるため、外観が美麗であり、これまでに類を見ない斬新な意匠を有するキッチンシンクが実現される。
【００１９】
なお、奥行き方向の排水蓋９の後端縁と本体１の後端縁との間には、図２に示したように、隙間１４を形成することができ、野菜屑などによる詰まりを防止することができる。排水蓋９にも傾斜平面１２ａ、１２ｂ、１２ｃが形成されているため、野菜屑などは、本体１の底面を形成する傾斜平面８ａ、８ｂ、８ｃに沿い、排水口５に向かって流れ落ちる水の流れに乗り、途中で止まることなく隙間１４に流れていく。隙間１４の幅はおよそ３０mm程度あれば十分である。隙間１４に流れ込んだ野菜屑などは除去容易であり、また、排水蓋９を取り外し、排水トラップ６に取り外し自在に装着される網カゴの中に落とし込むこともできる。
【００２０】
そして、図１および図２に示したように、キッチンシンクでは、平面視略正方形の排水蓋９の端縁直線部分、すなわち、左右の縦辺１５ａ、１５ｂに谷折り線１３ａ、１３ｂが交わっている。このように、谷折り線１３ａ、１３ｂを角部に交わらせず、排水蓋９の端縁直線部分に交わらせることにより、谷折りされた形状であっても、谷折り線１３ａ、１３ｂが排水蓋９の角部に交わる場合に谷折り線１３ａ、１３ｂが集中し、必要以上に鋭角になることを防ぐことができる。排水蓋９の強度は十分確保され、割れや欠けなどが生じることがない。
【００２１】
谷折り線１３ａ、１３ｂがそれぞれ交わる排水蓋９の端縁直線部分は、排水蓋９の左右の縦辺１５ａ、１５ｂばかりでなく、図５に示したように、排水蓋９が横長略長方形状である場合には、前横片１６とすることもできる。このようにしても、谷折り線１３ａ、１３ｂが排水蓋９の角部に交わる場合に谷折り線１３ａ、１３ｂが集中し、必要以上に鋭角になることを防ぐことができる。排水蓋９の強度は十分確保され、割れや欠けなどが生じることがない。
【００２２】
なお、図５は、キッチンシンクの本体１のみを示しており、図１〜図４に示した各部位に対応する部位には同じ符号を付している。
【００２３】
排水蓋９は、また、図６に示したように、奥行き方向の前側を略半円形に、後側を略方形にした形状とすることもできる。この場合、谷折り線１３ａ、１３ｂは、方形部分の左右の縦辺１５ａ、１５ｂに交わらせることができる。谷折りされた形状であっても排水蓋９の強度は十分確保され、割れや欠けなどが生じることがない。
【００２４】
図６もキッチンシンクの本体１のみを示しており、図１〜図４に示した各部位に対応する部位には同じ符号を付している。
【００２５】
図７は、本願発明のシンクの一実施形態を示した要部平面図である。
【００２６】
図７に示したシンクもキッチンシンクであり、本体１のみを示している。
【００２７】
図７に示したキッチンシンクでは、本体１の左後端部に排水口が開口形成され、平面視略正方形の排水蓋９が排水口に装着されている。排水蓋９の前縁および右縁に排水口との間に隙間１０を形成し、水や小さな調理屑が排水トラップに流れ落ちるようにしている。排水蓋９は、係止片１１によって係止され、排水口の上端に配置されている。
【００２８】
本体１の底面の谷折り線７ａは、本体１の前端略中央から排水蓋９の左後端角部に向かって形成されている。また、谷折り線７ｂは、本体１の右端略中央から排水蓋９の左後端角部に向かって形成されている。これらの谷折り線７ａ、７ｂに沿って本体１の底面は谷折りされ、排水口に向かって下り傾斜する３つの傾斜平面８ａ、８ｂ、８ｃから形成されている。
【００２９】
排水蓋９には、本体１の底面に形成された谷折り線７ａ、７ｂの延長上に谷折り線１３ａ、１３ｂが形成され、谷折り線１３ａ、１３ｂに沿って排水蓋９は谷折りされ、本体１の傾斜平面８ａ、８ｂ、８ｃの延長上に傾斜平面１２ａ、１２ｂ、１２ｃが形成されている。
【００３０】
このように、排水口が本体１の左後端部に開口形成されたキッチンシンクにおいても、本体１の底面が、一平面ではなく、３つの傾斜平面８ａ、８ｂ、８ｃに谷折りされて形成され、各傾斜平面８ａ、８ｂ、８ｃが、奥行き方向の後端部に配設された排水口に向かって下り傾斜しているので、底面には排水口の側方に位置する後端部および左端部においても水が残ることはなく、水を排水口に流し切ることができる。また、排水口に装着される排水蓋９に、本体１の底面を形成する各傾斜平面８ａ、８ｂ、８ｃの延長上に３つの傾斜平面１２ａ、１２ｂ、１２ｃが形成され、排水蓋９は平板状ではないため、排水蓋９の上面に水が残ることもなく、排水口に排水することができる。したがって、水をきれいに排水することができる。
【００３１】
しかも、本体１の底面、排水蓋９のそれぞれに形成された傾斜平面８ａ〜８ｃ、１２ａ〜１２ｃが同一平面状に配置され、谷折り線７ａおよび７ｂ、１３ａおよび１３ｂが一直線上に配置されるため、外観が美麗であり、これまでに類を見ない斬新な意匠を有するキッチンシンクが実現される。
【００３２】
なお、排水蓋９の後端縁、左端縁とそれぞれに対向する本体１の後端縁、左端縁との間には、およそ３０mmほどの隙間１４を形成することができる。隙間１４によって野菜屑などによる詰まりを防止することができる。排水蓋９にも傾斜平面１２ａ、１２ｂ、１２ｃが形成されているため、野菜屑などは、本体１の底面を形成する傾斜平面８ａ、８ｂ、８ｃに沿い、排水口に向かって流れ落ちる水の流れに乗り、途中で止まることなく隙間１４に流れていく。隙間１４に流れ込んだ野菜屑などは除去容易であり、また、排水蓋９を取り外し、排水トラップに取り外し自在に装着される網カゴの中に落とし込むこともできる。
【００３３】
そして、図７に示したキッチンシンクでは、平面視略正方形の排水蓋９の端縁直線部分、すなわち、右縦辺１５ｂおよび前横片１６に谷折り線１３ａ、１３ｂが交わっている。このように、谷折り線１３ａ、１３ｂを角部に交わらせず、排水蓋９の端縁直線部分に交わらせることにより、谷折りされた形状であっても、谷折り線１３ａ、１３ｂが排水蓋９の角部に交わる場合に谷折り線１３ａ、１３ｂが集中し、必要以上に鋭角になることを防ぐことができる。排水蓋９の強度は十分確保され、割れや欠けなどが生じることがない。
【００３４】
なお、図７図中の符号３は段部、符号４はカラン取り付け孔であり、図１〜図６に示したキッチンシンクと同様である。
【００３５】
以上の実施形態は、いずれもキッチンシンクであるが、本願発明のシンクは、キッチンシンクに限定されず、洗面化粧台に設けられる洗面シンクにも用いることができる。また、底面および排水蓋にそれぞれ形成される傾斜平面は３つに限定されず、複数であればよい。そして、シンクの材質は、耐食性の金属をはじめ、樹脂などとすることができる。
【図面の簡単な説明】
【００３６】
【図１】本願発明のシンクの一実施形態を示した斜視図である。
【図２】図１に示したシンクの平面図である。
【図３】図２図中のＡ−Ａ断面図である。
【図４】図２図中のＢ−Ｂ断面図である。
【図５】本願発明のシンクの一実施形態を示した要部平面図である。
【図６】本願発明のシンクの一実施形態を示した要部平面図である。
【図７】本願発明のシンクの一実施形態を示した要部平面図である。
【符号の説明】
【００３７】
１    本体
２    フランジ
３    段部
４    カラン取り付け孔
５    排水口
６    排水トラップ
７ａ、７ｂ    谷折り線
８ａ、８ｂ、８ｃ    傾斜平面
９    排水蓋
１０    隙間
１１    係止片
１２ａ、１２ｂ、１２ｃ    傾斜平面
１３ａ、１３ｂ    谷折り線
１４    隙間
１５ａ  左縦辺
１５ｂ  右縦辺
１６    前横片
【図１】
2007262673.tif 000003
【図２】
2007262673.tif 000004
【図３】
2007262673.tif 000005
【図４】
2007262673.tif 000006
【図５】
2007262673.tif 000007
【図６】
2007262673.tif 000008
【図７】
2007262673.tif 000009